(57)【要約】      （修正有）【課題】雌形ハゼと雄形ハゼの間のズレによる合わせ嵌めの困難を解消して能率良く嵌付け得るようにした四角筒形ダクトの組立て台における雌形ハゼの反り，ねじれ，歪みの矯正固定装置を提供する。【解決手段】４枚のダクト周壁板１の各端縁間のハゼ結合に関し、周壁板と雌形ハゼ２との間の下向きの折り合わせ面３を直立する鋼鉄製の薄い直面板１２に挟み入れ直線立てして該折り合わせ面につながる雌形ハゼの全長を直線形に正しておいて雄形ハゼを合わせ嵌めするようにして、嵌付け不能などのない整容された四角筒形を容易に組立て得るようにしたことを特徴とする。【選択図】図１
0003156810.tif 000002
【実用新案登録請求の範囲】
【請求項１】
周壁板の各端縁間の雌雄ハゼ嵌付用の組立て台において、成形によって生じた雌形ハゼの反り，ねじれ，歪みを矯正し固定するために該周壁板と雌形ハゼ間の下向きの折り合わせ面を挟み入れ直線立てして該折り合わせ面につながる雌形ハゼを直線形に矯正し固定する薄くて硬い直面板を該組立て台の垂直面に突出し形成したことを特徴とする四角筒形ダクト組立て台における雌形ハゼの反り，ねじれ，歪みの矯正固定装置。
【考案の詳細な説明】
【技術分野】
【０００１】
この考案は、四角筒形ダクト組立て台における雌形ハゼの反り，ねじれ，歪みの矯正固定装置に関するものである。
【背景技術】
【０００２】
従来、四角筒形ダクトは図９に示すように４枚の周壁板の各端縁間の雌雄のハゼを嵌め合わせて組立ててきたものである。
【先行技術文献】
【特許文献】
【０００３】
【特許文献１】なし
【考案の概要】
【考案が解決しようとする課題】
【０００４】
しかしながら、雌雄のハゼのうち、雌形ハゼは多重折りによって反り，ねじれ，歪みが生じてほぼ直線の雄形ハゼとの間でズレができるために、その嵌め合わせは容易でなく、周壁板が長尺になるほどに雌雄のハゼの間のズレが大きくなるために人手によって押し合わせ嵌めを試みるも嵌め合わせに困難し、組立て不能も生ずるという課題があった。
また近時の補強リブを付した周壁板においては雌形ハゼに反り，ねじれ，歪みがさらに顕著に生ずることで雄形ハゼとの間のズレが大きくなってその嵌付けを益々困難にしているという課題がある。
【課題を解決するための手段】
【０００５】
本考案は、ダクト周壁板の各端縁間の雌雄ハゼの嵌付用の組立て台において、該組立て台の垂直面より上方に向けて薄くて硬い直面板を突出形成して、該直面板の上部に該周壁板と雌形ハゼとの間の下向きの折り合わせ面を挟み入れ直線立てして、該折り合わせ面につながる雌形ハゼを反り，ねじれ，歪みのない直線形に矯正し固定しておいて雄形ハゼを嵌付けするようにして、ズレによる雌雄のハゼの合わせ嵌めの困難を解消して、気密漏れのない整容された四角筒形ダクトを省力化した下で容易に組立て得るようにして、かかる課題を解決したのである。
【考案の効果】
【０００６】
本考案は、ダクト組立て用の雌雄のハゼが長尺であっても、また周壁板に縦または横方向の補強リブが付されても雌雄のハゼは人手による押し合わせを要することなしに容易に合わせ嵌めすることができて、四角筒形ダクトの組立て不能や嵌付け不良等が全く生じないという効果を生ずる。
【０００７】
気密洩れのない整容された四角筒形ダクトが得られるという効果を生ずる。
【図面の簡単な説明】
【０００８】
【図１】組立て台を有す装置全体例を示す正面図と組立て台部分の拡大図
【図２】同、側面図
【図３】雌形ハゼを直面板に挟み入れする前状態を示す部分斜視図
【図４】同、挟み入れ直面立てした状態を一部を省略して示す斜視図
【図５】雄形ハゼを嵌め合わせ前の状態にて示す部分拡大正面図
【図６】同、嵌め合わせた状態を示す図
【図７】同、押しローラーの押し走行にて掛止端にボタンパンチが弾嵌掛止した状態を示す図
【図８】補強リブを付した第２実施例を示す挟み入れ直面立て状態の部分斜視図
【図９】四角筒形ダクトの組立て例を示す斜視図
【考案を実施するための形態】
【０００９】
本考案は、４枚のダクト周壁板の各端縁間のハゼ結合に関し、周壁板と雌形ハゼとの間の下向きの折り合わせ面を組立て台の垂直面に直立させた鋼鉄製の薄い直面板に挟み入れて直線立てして、該折り合わせ面につながる上向きの雌形ハゼを反り，ねじれ，歪みのない直線形に正しておいて隣り合う周壁板の端縁の雄形ハゼを上方から合わせ嵌めする要領にて各端縁間のハゼを順次合わせ嵌め結合して、以って気密洩れのない整容された四角筒形ダクトを組立てるのである。
【００１０】
雄形ハゼ４は周壁板１の端縁を直角に折曲げてなるので、反り，ねじれ，歪みがないからその下端４ｂは直線形に正された上向きの雌形ハゼ２の受入口２ｃに容易に一致させることができるので、従来の押し合わせ労力を全く要せずして雌雄形のハゼ２，４を容易に合わせ嵌めすることができることとなる。
【実施例１】
【００１１】
図１乃至図７は四角筒形ダクトについての１実施例を示すもので、長尺の組立て台１１の垂直外面に同長にて形成する長尺の鋼鉄製の薄くて硬い直面板１２を上方に向けて直立させ、該直面板１２の上部に周壁板１と雌形ハゼ２の間の下向きの折り合わせ面３の全長を挟み入れて直線立てするのである。折り合わせ面３は雌形ハゼの影響で反り，ねじれ，歪みが生じているが、周壁板１がガイドすることで折り合わせ面３を直線形に正しながら直面板１２に挟み入れることができて、折り合わせ面３はその全長を直線立てされることとなる。
上向きの雌形ハゼ２は折り合わせ面３に一体につながっているため、折り合わせ面３の直線立てによって反り，ねじれ，歪みが正されて、その全長が直線形となる。なお、折り合わせ面３の挟み立ての前に雌形ハゼ２のハゼ底２ａを組立て台１１の定盤１３にて当て受けさせるのである。折り合わせ面３の挟み入れによる直線立ては図４，図５に示すようにこじあけによる挟み立てによって無理がない半分程の深さにとどめるのである。
【００１２】
次に隣り合わせの周壁板１の端縁に設けた雄形ハゼ４の下端４ｂを該雌形ハゼ２の上端の受入口２ｃに合わせて嵌め付けするのである。互いが直線形であることによって相互の間にズレがないから全長を難なく嵌め合わせることができる。次いで上方の押しローラー１４の押し走行にて雄形ハゼ４を一端から他端まで押圧して先端より突出するボタンパンチ４ａを雌形ハゼ２の掛止端２ａに弾嵌掛止させるのである。ボタンパンチ４ａの弾嵌掛止は、ハゼ底２ｂが定盤１３にて当て受けされていることによって反力を受けることがないから確実に弾嵌掛止されることとなる。
【００１３】
このようにして、周壁板１間の１角の雌雄のハゼの嵌付けを終えたならば、直面板１２より折り合わせ面３を抜き外して２角目の雌形ハゼ２の折り合わせ面３を直面板１２に挟み入れ直線立てして雌形ハゼ２を直線形に正しておいて雄形ハゼ４を合わせ嵌め、押しローラー１４にて押圧してボタンパンチ４ａを掛止端２ｂに弾嵌掛止させることの繰り返しにより４角の雌雄ハゼ２，４を嵌付けて以って気密洩れのない整容された四角筒形ダクトを組立てるのである。
【００１４】
なお、薄くて硬い直面板１２は鋼鉄などの頑健な素材にて形成して負圧しても曲がらないようにしている。
【実施例２】
【００１５】
図８は、各周壁板１にあらかじめ縦方向の補強リブ１ａを付した雌雄ハゼの１角の嵌付け例における雌形ハゼ２の矯正固定状態を示す第２実施例であって、その要領と構成および作用は前例と同じである。
【産業上の利用可能性】
【００１６】
本考案は、四角筒形ダクトの組立てにおいて、周壁板の各端縁間の雌雄のハゼの全長を押し合わせ労力を要すことなくして容易に嵌め合わせ可能にして、嵌付け不能等が解消されることで広く利用されるものである。
【符号の説明】
【００１７】
１は周壁板
１ａは補強リブ
２は雌形ハゼ
２ａはハゼ底
２ｂは掛止端
２ｃは受入口
３は折り合わせ面
４は雄形ハゼ
４ａはボタンパンチ
４ｂは雄形ハゼの下端
１１は組立て台
１２は直面板
１３は定盤
１４は押しローラー
Ｄは四角筒形ダクト
【図１】
0003156810.tif 000003
【図２】
0003156810.tif 000004
【図３】
0003156810.tif 000005
【図４】
0003156810.tif 000006
【図５】
0003156810.tif 000007
【図６】
0003156810.tif 000008
【図７】
0003156810.tif 000009
【図８】
0003156810.tif 000010
【図９】
0003156810.tif 000011